(57)【要約】【課題】ユーザインタフェースを殆ど持たないクライアント機器に対するネットワーク情報の設定を容易にしたワイヤレスネットワークシステムを提供する。【解決手段】コマンダ２は、プレイヤ１がＡｄＨｏｃモードでワイヤレスネットワークを起動させたことを検出したとき、自装置のネットワークモードをプレイヤ１と通信するＡｄＨｏｃモードに切り換え、プレイヤ１に対してインフラストラクチャモードのネットワーク情報を送信する。ＡｄＨｏｃでワイヤレスネットワークを起動させ、コマンダ２からインフラストラクチャモードのネットワーク情報を受信してネットワークモードをインフラストラクチャモードに切り換える。【選択図】  図１
2010161587.tif 000002
【特許請求の範囲】
【請求項１】
ワイヤレスネットワークをインフラストラクチャモードで中継するアクセスポイントと、前記アクセスポイントを介してインフラストラクチャモードのワイヤレスネットワークで通信するユーザ装置およびクライアントを有するワイヤレスネットワークシステムであって、
前記ユーザ装置は、
前記インフラストラクチャモードのワイヤレスネットワークを設定するためのネットワーク名、暗号化キーを含むインフラストラクチャネットワーク情報を記憶する記憶部と、
前記クライアントがアドホック（ＡｄＨｏｃ）モードでワイヤレスネットワークを起動させたことを監視する監視手段と、
前記クライアントがアドホックモードでワイヤレスネットワークを起動させたとき、自装置のワイヤレスネットワークモードを前記クライアントと通信するアドホックモードに切り換え、前記クライアントに対して前記インフラストラクチャネットワーク情報を送信するネットワーク情報送信手段と、
を備え、
前記クライアントは、
特定操作に応じて、前記アドホックモードでワイヤレスネットワークを起動させるアドホックモード起動手段と、
前記ユーザ装置から前記インフラストラクチャネットワーク情報を受信したとき、このインフラストラクチャネットワーク情報を用い、ワイヤレスネットワークモードをインフラストラクチャモードに切り換えるネットワークモード切換手段と、
を備えたワイヤレスネットワークシステム。
【請求項２】
前記クライアントは、前記アドホックモードでワイヤレスネットワークを起動するための特定ＳＳＩＤ、特定暗号化キーを記憶するアドホックネットワーク情報記憶部を備え、
前記クライアントの前記アドホックモード起動手段は、前記アドホックネットワーク情報記憶部に記憶されている前記特定ＳＳＩＤ、特定暗号化キーを用いてワイヤレスネットワークを起動させ、
前記ユーザ装置の前記監視手段は、前記特定ＳＳＩＤのアドホックモードのネットワーク機器を発見したとき、このネットワーク機器を前記クライアントであると判断する
請求項１に記載のワイヤレスネットワークシステム。
【請求項３】
前記クライアントは、ワイヤレスネットワークを介して楽曲データを取得するオーディオプレイヤであり、
前記ユーザ装置は、ワイヤレスネットワークを介して前記オーディオプレイヤを制御するコマンダである
請求項１または請求項２に記載のワイヤレスネットワークシステム。
【発明の詳細な説明】
【技術分野】
【０００１】
この発明は、アクセスポイントを介したワイヤレスネットワーク通信を行うワイヤレスネットワークシステムに関する。
【背景技術】
【０００２】
近年無線ＬＡＮを用いたネットワークオーディオシステムが提案されている（たとえば特許文献１）。このようなオーディオシステムは、図１に示すように、楽曲を再生するプレイヤ、ユーザが楽曲の選択等の操作を行うコマンダ、曲ファイル等のオーディオソースを記憶した１または複数のソース機器等からなっており、これらが、無線ＬＡＮ（および有線ＬＡＮ）を介してコマンドやオーディオソースの送受信を行う構成になっている。
【０００３】
上記ネットワークオーディオシステムを構成する各機器のうち、プレイヤとコマンダは専用の機器として製造されたものが用いられるが、無線ＬＡＮのアクセスポイントは汎用のもの（例えば既に住居に設置されているもの）が用いられる場合が多い。
【先行技術文献】
【特許文献】
【０００４】
【特許文献１】特開２００７−１５８８５４号公報
【発明の概要】
【発明が解決しようとする課題】
【０００５】
このため、コマンダもプレイヤも汎用のアクセスポイントを介したインフラストラクチャモードの無線ＬＡＮの設定をする必要がある。コマンダは、液晶ディスプレイ、キースイッチ等の豊富なユーザインタフェースを備えているため、このユーザインタフェースを用いて無線ＬＡＮのネットワーク情報（ＳＳＩＤ，ＷＥＰキー等）の設定を行えばよいが、プレイヤはコマンダによって操作されることを前提としているため、殆どユーザインタフェースを備えていない。したがって、プレイヤに汎用のアクセスポイントのネットワーク情報を設定するのは大変困難である。
【０００６】
この発明は、ユーザインタフェースを殆ど持たないプレイヤ等のクライアント機器に対するネットワーク情報の設定を容易にしたワイヤレスネットワークシステムを提供することを目的とする。
【課題を解決するための手段】
【０００７】
請求項１の発明は、ワイヤレスネットワークをインフラストラクチャモードで中継するアクセスポイントと、前記アクセスポイントを介してインフラストラクチャモードのワイヤレスネットワークで通信するユーザ装置およびクライアントを有するワイヤレスネットワークシステムであって、
前記ユーザ装置は、前記インフラストラクチャモードのワイヤレスネットワークを設定するためのネットワーク名、暗号化キーを含むインフラストラクチャネットワーク情報を記憶する記憶部と、前記クライアントがアドホック（ＡｄＨｏｃ）モードでワイヤレスネットワークを起動させたことを監視する監視手段と、前記クライアントがアドホックモードでワイヤレスネットワークを起動させたとき、自装置のワイヤレスネットワークモードを前記クライアントと通信するアドホックモードに切り換え、前記クライアントに対して前記インフラストラクチャネットワーク情報を送信するネットワーク情報送信手段と、を備え、
前記クライアントは、特定操作に応じて、前記アドホックモードでワイヤレスネットワークを起動させるアドホックモード起動手段と、前記ユーザ装置から前記インフラストラクチャネットワーク情報を受信したとき、このインフラストラクチャネットワーク情報を用い、ワイヤレスネットワークモードをインフラストラクチャモードに切り換えるネットワークモード切換手段と、を備えたことを特徴とする。
【０００８】
請求項２の発明は、前記クライアントは、前記アドホックモードでワイヤレスネットワークを起動するための特定ＳＳＩＤ、特定暗号化キーを記憶するアドホックネットワーク情報記憶部を備え、前記クライアントの前記アドホックモード起動手段は、前記アドホックネットワーク情報記憶部に記憶されている前記特定ＳＳＩＤ、特定暗号化キーを用いてワイヤレスネットワークを起動させ、前記ユーザ装置の前記監視手段は、前記特定ＳＳＩＤのアドホックモードのネットワーク機器を発見したとき、このネットワーク機器を前記クライアントであると判断することを特徴とする。
【０００９】
請求項３の発明は、前記クライアントは、ワイヤレスネットワークを介して楽曲データを取得するオーディオプレイヤであり、前記ユーザ装置は、ワイヤレスネットワークを介して前記オーディオプレイヤを制御するコマンダであることを特徴とする。
【発明の効果】
【００１０】
この発明によれば、クライアントがユーザインタフェースを持たず、ネットワーク情報を設定できない場合であっても、ＡｄＨｏｃモードでユーザ装置と交信してインフラストラクチャネットワーク情報を受信するため、クライアントに対するネットワーク情報の設定の容易化が可能になる。
【図面の簡単な説明】
【００１１】
【図１】この発明の実施形態であるオーディオシステムの構成図である。
【図２】同オーディオシステムの通常モード時の動作を示すフローチャートである。
【図３】同オーディオシステムの設定モード時の動作を示すフローチャートである。
【発明を実施するための形態】
【００１２】
≪オーディオシステム≫
図１は、この発明の実施形態であるオーディオシステムの構成を示す図である。このオーディオシステムは、アクセスポイント４を介した無線ＬＡＮで、プレイヤ１、コマンダ２、ソース機器であるパソコン３等が接続されて構成されている。なお、アクセスポイント４にはバックボーンとして有線ＬＡＮが接続され、有線ＬＡＮにルータ（ＤＨＣＰサーバ）や他のソース機器が接続されている。この図には、ソース機器として１台のパソコン３のみを記載しているが、無線ＬＡＮで接続されるソース機器は１台に限定されない。また、ソース機器はパソコン以外の装置であってもよい。
【００１３】
プレイヤ１は、オーディオファイル再生部、アンプ等を内蔵しており、パソコン３に記憶されているオーディオファイルを読み出して再生・増幅し、スピーカ５から放音する。コマンダ２は、液晶ディスプレイ等の表示部、キースイッチ、タッチパッド等の操作部、コマンドを記憶したメモリ等を備え、ユーザによる操作部の操作に対応するコマンドをメモリから読み出し、このコマンドを無線ＬＡＮ経由で送信する。パソコン３は、ハードディスク等のストレージを内蔵し、このストレージに複数のオーディオファイルを記憶している。オーディオファイルは、たとえばｍｐ３等の形式のファイルである。パソコン３は、ＬＡＮ（無線ＬＡＮ）を介した上記ストレージへのアクセスを許可しており、コマンダ２は、ストレージ内のオーディオファイルのファイル名（曲名）を取得し、プレイヤ１は、ユーザによって指定されたオーディオファイルをこのストレージから取得する。
【００１４】
上記構成のオーディオシステムでは、図２のような手順で選曲され、曲が演奏される。すなわち、図２のような手順でオーディオファイルが選択され、そのオーディオファイルが再生される。
【００１５】
同図（Ａ）はコマンダ２の選曲動作を示すフローチャートである。コマンダ２は、通常動作時には、ソース機器（入力）を選択する画面を表示している（Ｓ１）。コマンダ２は、この状態でユーザによるソース機器の選択操作を受け付ける（Ｓ２）。ユーザによってソース機器が選択されると、コマンダ２は、選択されたソース機器にアクセスし、ストレージに記憶されているオーディオファイル（以下、曲ファイルと呼ぶ）のファイル名を取得して、画面にリスト表示する（Ｓ３）。コマンダ２は、この状態でユーザによる曲ファイルの選択操作を受け付ける（Ｓ４）。ユーザによって曲ファイルが選択されると、選択されたソース機器および曲ファイルの情報（ディレクトリ、ファイル名等）をプレイヤ１に通知する（Ｓ５）。
【００１６】
同図（Ｂ）は、プレイヤ１の再生動作を示すフローチャートである。コマンダ２からソース機器、曲ファイルの情報を受信すると（Ｓ１１）、この指定されたソース機器にアクセスし（Ｓ１２）、指定されたディレクトリにアクセスして曲ファイルを取得する（Ｓ１３）。そしてこの曲ファイルを再生する（Ｓ１４）。これにより、曲が演奏される。
【００１７】
このように、プレイヤ１、コマンダ２、パソコン（ソース機器）３がアクセスポイント４を介したインフラストラクチャモードで通信することにより、曲ファイルの選択、曲ファイルの転送が行われる。
【００１８】
なお、曲の再生機能・演奏機能を有するソース機器の場合、ユーザによって選曲された楽曲をソース機器が再生・演奏し、この再生・演奏されたデジタルオーディオ信号をソース機器からプレイヤ１へストリーミング転送するようにすればよい。
【００１９】
≪無線ＬＡＮの設定≫
次に、上記構成のオーディオシステムの無線ＬＡＮを設定する処理について説明する。すなわち、汎用のアクセスポイント４を用いてインフラストラクチャモードの無線ＬＡＮを構築する場合、プレイヤ１、コマンダ２、パソコン３に、アクセスポイント４が提供するネットワーク名（ＳＳＩＤ）、ＷＥＰキー等の暗号化キー等からなるネットワーク情報を設定する必要がある。パソコン３およびコマンダ２は、豊富なユーザインタフェースを備えているため、係員は、容易に上記ネットワーク情報を設定することができる。
【００２０】
一方、プレイヤ１は、本体にユーザインタフェースを備えておらず、プレイヤ１を直接操作してアクセスポイント４のネットワーク情報の設定は困難である。このため、この実施形態では、コマンダ２からプレイヤ１に対して上記インフラストラクチャモードのネットワーク情報を設定する。
【００２１】
ここで、プレイヤ１には、ＳＳＩＤ（ネットワーク名）「ＭＣ２＿≪シリアルＮｏ≫＿１＿ＤＥＦＡＵＬＴ」、暗号化パスワード「≪シリアルＮｏ≫」でＡｄＨｏｃモードのワイヤレスネットワークが設定されている。ここで、≪シリアルＮｏ≫は、このプレイヤ１のシリアル番号（製造番号）であり、たとえば８桁の数字列である。
【００２２】
係員が、プレイヤ１を特定の操作（たとえばミュートボタンを押しながら電源オン）で起動させると設定モードとなり、プレイヤ１は、ＡｄＨｏｃモードのワイヤレスネットワークモードで起動し、上記のＳＳＩＤとパスワードで通信相手を検索する。
【００２３】
一方、コマンダ２は、通常モードの動作時に「ＭＣ２＿≪８桁の数字列≫＿１＿ＤＥＦＡＵＬＴ」のＳＳＩＤのネットワーク機器が現れるか否かを監視している。上記ＳＳＩＤのネットワーク機器が現れると、このネットワーク機器が設定待ちのプレイヤ１であると判断し、通信モードをＡｄＨｏｃモードに切り換え、上記のＥＳＳＩＤ「ＭＣ２＿≪シリアルＮｏ≫＿１＿ＤＥＦＡＵＬＴ」、暗号化パスワード「≪シリアルＮｏ≫」でプレイヤ１に応答し、予め記憶しているアクセスポイント４を介したインフラストラクチャモードのネットワーク情報（ＳＳＩＤ、暗号化パスワード）をプレイヤ１に対して送信する。
【００２４】
プレイヤ１はこのＳＳＩＤと暗号化パスワードを受信して自装置のネットワーク機能に設定し、アクセスポイント４を介したインフラストラクチャモードにワイヤレスネットワークモードを切り換える。これにより、図１で説明したオーディオシステムの無線ＬＡＮ設定が完了する。
【００２５】
図３を参照して上記設定モード時の各コマンダ２およびプレイヤ１の動作手順を説明する。同図（Ａ）において、プレイヤ１は、係員により特定操作で電源がオンされると（Ｓ２０）、ＡｄＨｏｃモードのワイヤレスネットワークモードで起動し（Ｓ２１）、通信相手を検索する。
【００２６】
同図（Ｂ）において、コマンダは、通常モードの動作中にワイヤレスネットワークで上記特定のＳＳＩＤが検出されるか否かを監視している（Ｓ３０）。特定ＳＳＩＤが検出されると（Ｓ３０でＹＥＳ）、このＳＳＩＤをディスプレイに表示して係員に対して許可を求める（Ｓ３１）。係員は、表示されたＩＤと設定しようとしているプレイヤ１のシリアル番号（機器の背面等に記載されている）とを比較して、設定しようとしているプレイヤのＳＳＩＤであることを確認したのち許可する旨の操作を行う。許可の操作が行われると（Ｓ３２でＹＥＳ）、このＳＳＩＤ、暗号化パスワードを設定してワイヤレスネットワークモードをＡｄＨｏｃモードに切り換え（Ｓ３３）、通信相手であるプレイヤ１に対してアクセスポイント４を介したインフラストラクチャモードの通信を行うためのネットワーク情報を送信する（Ｓ３４）。こののち、ワイヤレスネットワークモードをインフラストラクチャモードに戻して（Ｓ３５）、設定動作を終了する。
【００２７】
同図（Ａ）において、プレイヤ１は、コマンダ２からインフラストラクチャモードのネットワーク情報を受信し（Ｓ２２）、このネットワーク情報（ＳＳＩＤ、ＷＥＰキー）をワイヤレスネットワーク機能に設定して、通信モードをインフラストラクチャモードに切り換える（Ｓ２３）。これによって、図１のオーディオシステムの無線ＬＡＮ設定が完了する。
【００２８】
なお、プレイヤ１を設定モードにするための特定操作は上記操作（ミュートボタンを押しながら電源オン）に限定されない。
【００２９】
また、この実施形態は、オーディオシステムのプレイヤ１に汎用のアクセスポイント４を介したインフラストラクチャモードのネットワーク情報を設定する場合を例にして説明したが、本発明はオーディオシステム以外にも適用することができる。また、設定元はコマンダに限定されず、設定先はプレイヤに限定されない。  
【符号の説明】
【００３０】
１  プレイヤ
２  コマンダ
３  ソース機器（パソコン）
４  アクセスポイント
【図１】
2010161587.tif 000003
【図２】
2010161587.tif 000004
【図３】
2010161587.tif 000005